(57)【特許請求の範囲】
【請求項１】
配線に接続される電気機器が取り付けられると共に、取付面に取り付けられる電気機器用取付具であって、
基部と、
前記基部の周縁部に立設される外周壁と、
前記外周壁に形成されるモール用開口を介して、前記配線が挿通される開口を端面に有すると共に前記取付面に取り付けられる配線用モールの端部が、挿入されるモール挿入部と、
前記配線が挿通される配線挿通口を有するとともに、前記外周壁の内側の基部に立設され、前記モール挿入部に挿入される前記配線用モールの端面に当接して前記配線用モールの当該電気機器用取付具内方への相対移動を規制するモール受け部と、
を備えることを特徴とする電気機器用取付具。
【請求項２】
断面が異なる複数種類の前記配線用モールに対応した複数の切欠部を有して前記外周壁における前記モール受け部に対向する部分に設けられ、前記切欠部のうちの一つに沿って除去されることにより、当該切欠部に対応する前記配線用モールを前記モール挿入部に挿入可能とする前記モール用開口を、前記外周壁に形成するノックアウト部を備え、
前記配線挿通口の幅は、複数種類の前記配線用モールの前記開口の幅のうち最小幅と同一寸法であることを特徴とする請求項１に記載の電気機器用取付具。
【請求項３】
前記モール受け部は、樹脂製であることを特徴とする請求項１又は２に記載の電気機器用取付具。
【発明の詳細な説明】
【技術分野】
【０００１】
本発明は、電気機器用取付具に関する。
【背景技術】
【０００２】
従来、照明装置や火災報知器などの電気機器が取り付けられると共に、天井面などの取付面に取り付けられる電気機器用取付具がある。このような電気機器用取付具には、配線を電気器具に接続するために、配線用モールが接続される接続口が外周部に設けられているものがある（例えば、特許文献１参照）
【特許文献１】特開平５−２７４９０８号公報
【発明の開示】
【発明が解決しようとする課題】
【０００３】
しかしながら、従来の電気機器取付具では、配線用モールを接続口に差し込むだけであるため、配線用モールが電気機器用取付具内方へ入り込みすぎたりして、配線用モールと電気機器用取付具との相対的な位置決めが難しく、電気機器用取付具と配線用モールとの接続作業に手間が掛かるという問題がある。
【０００４】
そこで、本発明は、電気機器用取付具において、配線用モールとの接続作業性を向上させることを目的とする。
【課題を解決するための手段】
【０００５】
請求項１に記載の発明は、配線に接続される電気機器が取り付けられると共に、取付面に取り付けられる電気機器用取付具であって、基部と、前記基部の周縁部に立設される外周壁と、前記外周壁に形成されるモール用開口を介して、前記配線が挿通される開口を端面に有すると共に前記取付面に取り付けられる配線用モールの端部が、挿入されるモール挿入部と、前記配線が挿通される配線挿通口を有するとともに、前記外周壁の内側の基部に立設され、前記モール挿入部に挿入される前記配線用モールの端面に当接して前記配線用モールの当該電気機器用取付具内方への相対移動を規制するモール受け部と、を備えることを特徴とする。
【０００６】
請求項２に記載の発明は、請求項１に記載の電気機器用取付具において、断面が異なる複数種類の前記配線用モールに対応した複数の切欠部を有して前記外周壁における前記モール受け部に対向する部分に設けられ、前記切欠部のうちの一つに沿って除去されることにより、当該切欠部に対応する前記配線用モールを前記モール挿入部に挿入可能とする前記モール用開口を、前記外周壁に形成するノックアウト部を備え、前記配線挿通口の幅は、複数種類の前記配線用モールの前記開口の幅のうち最小幅と同一寸法であることを特徴とする。
【０００７】
請求項３に記載の発明は、請求項１又は２に記載の電気機器用取付具において、前記モール受け部は、樹脂製であることを特徴とする。
【発明の効果】
【０００８】
請求項１に記載の発明によれば、モール受け部が、配線用モールの電気機器用取付具内方への相対移動を規制することにより、電気機器用取付具と配線用モールとの相対的な位置決めを容易に行なうことができ、電気機器用取付具と配線用モールとの接続作業性を向上させることができる。
【０００９】
請求項２に記載の発明によれば、配線挿通口の幅は、複数種類の配線用モールの開口の幅のうち最小幅と同一寸法であることにより、複数種類の配線用モールの何れの場合でも、配線が配線用モールの開口縁部に当たることを抑制することができる。
【００１０】
請求項３に記載の発明によれば、モール受け部は、樹脂製であることにより、モール受け部に配線が当たるときには、モール受け部が金属製の場合に比べて、弾力的に当たるので、配線を確実に保護することができる。
【発明を実施するための最良の形態】
【００１１】
本発明の一実施形態を図面に基づいて説明する。図１は、本実施形態の電気機器用取付具を示す斜視図、図２は、電気機器用取付具を正面側から見て示す斜視図、図３は、電気機器用取付具を背面側から見て示す斜視図、図４は、電気機器用取付具を示す正面図、図５は、電気機器用取付具を示す背面図、図６は、電気機器用取付具に配線用モールが取り付けられた状態を示す背面図、図７は、図５の電気機器用取付具のノックアウト部の拡大図、図８は、図５のＡ−Ａ線に沿った断面図である。
【００１２】
図１に示す電気機器用取付具１は、建物の天井面や縦壁面などの取付面２に当該電気機器用取付具１を介して火災報知器や照明装置などの電気機器（図示せず）を取り付けるものであり、樹脂製である。電気機器用取付具１は、その裏面側を取付面２に当接させた状態で取付手段であるネジ３によって取付面２に取り付けられると共に、その正面側に電気機器が取り付けられる。この電気機器用取付具１には、配線用モール４が接続され、その配線用モール４内に配索される配線５が電気機器に接続可能となっている。配線５は、例えば、電源線や通信線である。
【００１３】
配線用モール４は、基壁部４ａとこの基壁部４ａの両側縁に立設された互いに平行な一対の側壁部４ｂとを有して断面コ字状に形成されており、その端面４ｃには、配線５が挿通される開口４ｄが形成されている。この配線用モール４は、コ字の開口を取付面２に向けた状態で取付面２に接着などで取り付けられる。ここで、電気機器用取付具１は、詳しくは後述するが、断面の大きさが異なる３種類の配線用モール４に接続対応可能となっている。図面では、断面が最大の配線用モール４が示されている。
【００１４】
図２ないし図６に示すように、電気機器用取付具１は、円盤状の基部１１と、この基部１１の裏面の周縁部に立設された円環状の外周壁１２とを有している。
【００１５】
基部１１の表面には、図示しない電気器具が取り付けられる器具取付部１３が形成されている。この器具取付部１３には、一対のネジ孔１４が形成されており、このネジ孔１４に螺合する図示しないネジによって電気器具が器具取付部１３に締結される。
【００１６】
基部１１には、一対の取付部１５が形成されている。これらの取付部１５は、正面から見て裏側へ凹んだ形状に形成されて、正面開口の溝状となっている。取付部１５は、基部１１の表裏面に直交する電気機器用取付具１の中心線（以後、取付具中心線と言う）を中心とした同半径の円弧状に形成されている。
【００１７】
取付部１５の背壁１６には、取付具中心線を中心とした同半径の円弧状の長孔１７が形成されている。長孔１７の一端部には、丸孔１８が連通して形成されている。長孔１７は、ネジ３の首部３ａの通過は許容するがネジ３の頭部３ｂの通過は許容しない幅に形成されている一方、丸孔１８は、ネジ３の頭部３ｂの通過を許容する大きさに形成されている。そして、正面側から長孔１７に挿通させたネジ３を取付面２に螺合することにより取付部１５が取付面２に締結される。これにより、電気機器用取付具１が取付面２に取り付けられる。また、別の取付方法として、取付面２に頭部３ｂを離間させた状態でネジ３を取り付け、ネジ３の頭部３ｂを丸孔１８に貫通させた後、電気機器用取付具１を回動させてネジ３の首部３ａを長孔１７に移動させ、ネジ３によって取付部１５を係止させても良い。
【００１８】
基部１１の中心部には、一対の取付部１５の溝内に連通する第１の配線挿通口１９が形成されており、この第１の配線挿通口１９によって、電気機器の配線接続口を電気機器用取付具１内に露出させることが可能となっている。
【００１９】
電気機器用取付具１の外周部には、配線用モール４が挿入される４つのモール挿入部２０が周方向に沿って等間隔に設けられている。これらのモール挿入部２０は、配線用モール４の端面４ｃが電気機器用取付具１の取付具中心線に向くように配線用モール４を受け入れる。これらのモール挿入部２０のうち一対のモール挿入部２０は、取付部１５と外周壁１２との間に配置されている。
【００２０】
モール挿入部２０は、一対の側壁２１と壁状のモール受け部２２とを有している。一対の側壁２１は、外周壁１２から電気機器用取付具１の内方に向かうように設けられており、互いに平行である。モール受け部２２は、一対の側壁２１における電気機器用取付具１内方側の端部間に設けられ外周壁１２の内方に位置し、側壁２１に直角に接続されている。これらの側壁２１とモール受け部２２とは、基部１１に接続されている。
【００２１】
モール挿入部２０の背面は、開口されていると共に、モール挿入部２０における外周壁１２側の面は、外周壁１２に設けられた除去可能なノックアウト部２３によって閉塞されている。このノックアウト部２３を除去することにより、外周壁１２にモール用開口２４（図１、図６）が形成され、モール挿入部２０における外周壁１２側の面が開口され、モール挿入部２０への配線用モール４の挿入が可能となる。このモール用開口２４は、モール挿入部２０の一部を構成している。
【００２２】
側壁２１は、配線用モール４の一対の側壁２１に対向するものであり、側壁２１間の幅は、断面の大きさが最大の配線用モール４の幅（一対の側壁部４ｂの外面間の距離）と略同じに設定されている。
【００２３】
モール受け部２２は、モール挿入部２０に挿入される配線用モール４の端面４ｃに当接可能であり、その端面４ｃとの当接によって配線用モール４の電気機器用取付具１内方への相対移動を規制するものである。
【００２４】
また、モール受け部２２には、配線用モール４の開口４ｄに連通し配線５が挿通される配線挿通口である第２の配線挿通口２６が形成されており、この第２の配線挿通口２６によって配線５を電気機器用取付具１の内方に配索可能となっている。第２の配線挿通口２６の幅ａは、複数種類の配線用モール４の開口４ｄの幅ｂのうち最小幅と同一寸法である。
【００２５】
一方の一対のモール挿入部２０のモール受け部２２は、取付部１５の外周側縦壁２７と一体化されており、取付部１５の内周側縦壁２８に形成された第３の配線挿通口２９を経由して電気機器用取付具１の内方に連通している。また、他方の一対のモール挿入部２０のモール受け部２２は、第２の配線挿通口２６によって２つの壁部２２ａに分割されている。即ち、第２の配線挿通口２６における基部１１とは反対側（背面側）の縁部は開口されており、これにより、この第２の配線挿通口２６へ電気機器用取付具１の背面側から配線５の挿入が可能となっている。
【００２６】
ノックアウト部２３は、図７及び図８に示すように、外周壁１２の他の部分よりも薄肉に形成されている。このノックアウト部２３は、断面の大きさの異なる３種類の配線用モール４に対応させた大きさのモール用開口２４（図１、図６）を選択的に形成可能となっている。具体的には、ノックアウト部２３の内面には、３種類の配線用モール４に合わせた３つの切欠部３０が同心形で設けられている。これらの切欠部３０のうちの一つを選択してその切欠部３０に沿ってノックアウト部２３を切除することで、異なる大きさのモール用開口２４を選択的に得ることができる。モール用開口２４は、対応する配線用モール４の外面とモール用開口２４の内面とに隙が生じない大きさに形成されている。なお、図面では、最大径のモール用開口２４が示されている。
【００２７】
次に、電気機器用取付具１によって電気機器を取付面２に取り付けると共に、電気機器に配線５を接続する方法の一例を説明する。まず、取付面２に配設された配線用モール４切欠部３０に対応する切欠部３０に沿ってノックアウト部２３を除去し、モール用開口２４を形成する。そして、電気機器用取付具１を取付面２に沿わせる際に、電気機器用取付具１の背面側や側方から配線用モール４をモール挿入部２０に挿入する。このとき、配線用モール４の端面４ｃにモール受け部２２を当接させて、配線用モール４の電気機器用取付具１への相対移動を規制する。以上により、モール挿入部２０によって、電気機器用取付具１と配線用モール４とが接続される。そして、ネジ３によって電気機器用取付具１を取付面２に取り付ける。
【００２８】
次に、配線用モール４の開口４ｄから突出した配線５を電気機器に接続し、その配線５を電気機器用取付具１内に位置させた状態で、電気機器をネジによって取付部１５に取り付ける。
【００２９】
別の方法として、電気機器用取付具１を取付面２に取り付けてから配線用モール４を取付面２に取り付けても良い。この場合は、配線用モール４を電気機器用取付具１の側方からモール挿入部２０に挿入し、配線用モール４の端面４ｃをモール挿入部２０のモール受け部２２に当接させる。
【００３０】
以上説明した本実施形態によれば、モール受け部２２が、配線用モール４の電気機器用取付具１内方への相対移動を規制することにより、電気機器用取付具１と配線用モール４との相対的な位置決めを容易に行なうことができ、電気機器用取付具１と配線用モール４との接続作業性を向上させることができる。
【００３１】
また、本実施形態によれば、第２の配線挿通口２６の幅ａは、複数種類の配線用モール４の開口４ｄの幅ｂのうち最小幅と同一寸法であることにより、複数種類の配線用モール４の何れの場合でも、配線５が配線用モール４の開口縁部に当たることを抑制することができる。
【００３２】
また、本実施形態によれば、モール受け部２２は、樹脂製であることにより、モール受け部２２に配線５が当たるときには、モール受け部２２が金属製の場合に比べて、弾力的に当たるので、配線５を確実に保護することができる。よって、電気機器用取付具１と配線用モール４との間に配線５を保護する専用部材であるブッシング部材を設ける必要が無く、電気機器用の配線５を配索するための構成を簡素化することができる。
【００３３】
なお、本発明は、本実施形態に限ることなく本発明の要旨を逸脱しない範囲で他の実施形態を各種採用することができる。
【図面の簡単な説明】
【００３４】
【図１】本発明の一実施形態の電気機器用取付具を示す斜視図である。
【図２】本発明の一実施形態の電気機器用取付具を正面側から見て示す斜視図である。
【図３】本発明の一実施形態の電気機器用取付具を背面側から見て示す斜視図である。
【図４】本発明の一実施形態の電気機器用取付具を示す正面図である。
【図５】本発明の一実施形態の電気機器用取付具を示す背面図である。
【図６】本発明の一実施形態の電気機器用取付具に配線用モールが取り付けられた状態を示す背面図である。
【図７】図５の電気機器用取付具のノックアウト部の拡大図である。
【図８】図５のＡ−Ａ線に沿った断面図である。
【符号の説明】
【００３５】
１    電気機器用取付具
２    取付面
４    配線用モール
４ｃ  端面
４ｄ  開口
５    配線
１２  外周壁
２０  モール挿入部
２２  モール受け部
２３  ノックアウト部
２４  モール用開口
２６  第２の配線挿通口（配線挿通口）
３０  切欠部
【図１】
0004548328.tif 000002
【図２】
0004548328.tif 000003
【図３】
0004548328.tif 000004
【図４】
0004548328.tif 000005
【図５】
0004548328.tif 000006
【図６】
0004548328.tif 000007
【図７】
0004548328.tif 000008
【図８】
0004548328.tif 000009